(57)【要約】【課題】  個々の光ファイバではなく、全ての光ファイバのからの放射光を総合した１個の出力光束を対象とした測定によって、個々の光ファイバの破断等の異常を検知できるようにすること。【解決手段】  発光素子と、その駆動回路と、発光素子から発せられた光を導光して出射端から放射する光ファイバと、を具備する要素光源のそれぞれの光ファイバの放射光を総合して１個の出力光束と成して出力する光源装置であって、さらに、撮像素子と、光ファイバのそれぞれの出射端全体に対する共役像を一括して撮像素子の撮像面に投影するための結像光学系を有することによって、制御回路が、光ファイバのそれぞれが導光する光量に相関する量としての出射端のそれぞれの明るさを面積分計算した光量測定データを受信することができるように構成してあり、制御回路は、受信した光量測定データと、正常時に受信されるべきデータとを比較し、異常を検知する。【選択図】  図１
2014157184.tif 000002
【特許請求の範囲】
【請求項１】
１個以上の発光素子（Ｙ１ａ，Ｙ１ｂ，…，Ｙ２ａ，Ｙ２ｂ，…）と、前記発光素子（Ｙ１ａ，Ｙ１ｂ，…，Ｙ２ａ，Ｙ２ｂ，…）を駆動する駆動回路（Ｐ１ａ，Ｐ１ｂ，…，Ｐ２ａ，Ｐ２ｂ，…）と、前記発光素子（Ｙ１ａ，Ｙ１ｂ，…，Ｙ２ａ，Ｙ２ｂ，…）から発せられた光を集光する集光光学系（Ｅｃ１，Ｅｃ２，…）と、前記集光光学系（Ｅｃ１，Ｅｃ２，…）が集光した光を入射端（Ｅｉ１，Ｅｉ２，…）で受け導光して出射端（Ｅｏ１，Ｅｏ２，…）から放射する光ファイバ（Ｅｆ１，Ｅｆ２，…）と、を具備するユニットを１個の要素光源（Ｕ１，Ｕ２，…）として、該要素光源（Ｕ１，Ｕ２，…）の複数個を有し、前記要素光源（Ｕ１，Ｕ２，…）のそれぞれの前記光ファイバ（Ｅｆ１，Ｅｆ２，…）の前記出射端（Ｅｏ１，Ｅｏ２，…）からの放射光を総合して１個の出力光束（Ｆｏ）と成して出力する光源装置であって、該光源装置は、さらに、撮像素子（Ｃ）と、前記撮像素子（Ｃ）からの映像信号（Ｓｇ）を受信して前記撮像素子（Ｃ）が取得した映像において設けた複数の積分領域（Ａ１，Ａ２，…）におけるそれぞれの明るさを面積分計算した光量測定データ（Ｓｈ１，Ｓｈ２，…，Ｓｈ１ｘ，Ｓｈ１ｙ，…，Ｓｈ２ｘ，Ｓｈ２ｙ，…）を生成する光量測定回路（Ｈ）と、前記光量測定データ（Ｓｈ１，Ｓｈ２，…，Ｓｈ１ｘ，Ｓｈ１ｙ，…，Ｓｈ２ｘ，Ｓｈ２ｙ，…）を受信するとともに前記駆動回路（Ｐ１ａ，Ｐ１ｂ，…，Ｐ２ａ，Ｐ２ｂ，…）を制御する制御回路（Ｍｃ）と、を有し、前記光源装置は、さらに前記要素光源（Ｕ１，Ｕ２，…）のそれぞれの前記光ファイバ（Ｅｆ１，Ｅｆ２，…）の前記出射端（Ｅｏ１，Ｅｏ２，…）からの放射光を総合して１個の光束と成した、少なくともその一部による前記光ファイバ（Ｅｆ１，Ｅｆ２，…）のそれぞれの前記出射端（Ｅｏ１，Ｅｏ２，…）全体に対する共役像（Ｇｏ）を一括して前記撮像素子（Ｃ）の撮像面（Ｒｕｖ）に投影するための結像光学系（Ｅａ）を有することによって、前記制御回路（Ｍｃ）が、前記出射端（Ｅｏ１，Ｅｏ２，…）のそれぞれの明るさを面積分計算した前記光量測定データ（Ｓｈ１，Ｓｈ２，…，Ｓｈ１ｘ，Ｓｈ１ｙ，…，Ｓｈ２ｘ，Ｓｈ２ｙ，…）を受信することができるように構成してあり、前記制御回路（Ｍｃ）は、受信した前記光量測定データ（Ｓｈ１，Ｓｈ２，…，Ｓｈ１ｘ，Ｓｈ１ｙ，…，Ｓｈ２ｘ，Ｓｈ２ｙ，…）と、正常時に受信されるべきデータとを比較し、異常を検知することを特徴とする光源装置。
【請求項２】
前記発光素子（Ｙ１ａ，Ｙ１ｂ，…，Ｙ２ａ，Ｙ２ｂ，…）は、発光波長が複数種類の異なる波長帯域に属するものを含んでおり、前記撮像素子（Ｃ）は３原色の映像信号（Ｓｇ）を出力可能であり、前記光量測定回路（Ｈ）は、それぞれの前記波長帯域について光量測定データ（Ｓｈ１ｘ，Ｓｈ１ｙ，…，Ｓｈ２ｘ，Ｓｈ２ｙ，…）を生成することを特徴とする請求項１に記載の光源装置。
【請求項３】
前記制御回路（Ｍｃ）は、前記要素光源（Ｕ１，Ｕ２，…）の１個を選択し、選択された前記要素光源に属する少なくとも１個の前記駆動回路からそれに接続された前記発光素子に所定の電流を出力して流し、かつ前記した選択されたもの以外の全ての前記要素光源に属する前記駆動回路は電流を出力しないよう前記駆動回路（Ｐ１ａ，Ｐ１ｂ，…，Ｐ２ａ，Ｐ２ｂ，…）を制御した上で、前記光量測定回路（Ｈ）に対し、選択された前記要素光源の要素光源識別情報（Ｓｕ）とともに積分領域決定指令信号（Ｓａ）を送信する動作を、前記要素光源（Ｕ１，Ｕ２，…）の全てに亘って順に選択して実行するシーケンスを実施することができ、前記光量測定回路（Ｈ）は、前記積分領域決定指令信号（Ｓａ）を受信したときは、そのときに受信した映像信号（Ｓｇ）に基づき、光ファイバ（Ｅｆ１，Ｅｆ２，…）の前記出射端（Ｅｏ１，Ｅｏ２，…）に対応する前記積分領域（Ａ１，Ａ２，…）を決定してこれを前記要素光源識別情報（Ｓｕ）と関連づけて記憶することを特徴とする請求項１または２に記載の光源装置。
【請求項４】
前記制御回路（Ｍｃ）は、前記した、選択された前記要素光源に属する前記発光素子のなかに複数種類の発光波長の波長帯域のものを含むときは、前記波長帯域の１種類を選択し、その波長帯域に属する発光波長の少なくとも１個の前記発光素子に所定の電流を流し、かつ前記した選択されたもの以外の全ての波長帯域の発光素子には電流を流さないよう前記駆動回路（Ｐ１ａ，Ｐ１ｂ，…，Ｐ２ａ，Ｐ２ｂ，…）を制御した上で、前記光量測定回路（Ｈ）に対し、選択された前記要素光源の要素光源識別情報（Ｓｕ）および選択された波長帯域の波長帯域識別情報（Ｓｒ）とともに積分領域決定指令信号（Ｓａ）を送信する動作を、前記した選択された前記要素光源に属する前記波長帯域の全てに亘って順に選択して実行することを特徴とする請求項３に記載の光源装置。
【請求項５】
前記光量測定回路（Ｈ）は、前記映像信号（Ｓｇ）から得られる画素データのうちの、適当に定めた閾値以上の信号強度を有する前記画素データが存在する、前記撮像面（Ｒｕｖ）上の横および縦方向に対応する画素番号ｋｕおよびｋｖの範囲、すなわち、ｋｕ１からｋｕ２まで、およびｋｖ１からｋｖ２まで、をそれぞれ特定して、前記４個のパラメータ ｋｕ１，ｋｕ２，ｋｖ１，ｋｖ２ を記憶し、前記した面積分計算に際しては、前記４個のパラメータ ｋｕ１，ｋｕ２，ｋｖ１，ｋｖ２ に基づいて前記積分領域（Ａ１，Ａ２，…）を規定することを特徴とする請求項４に記載の光源装置。
【請求項６】
前記制御回路（Ｍｃ）は、前記駆動回路（Ｐ１ａ，Ｐ１ｂ，…，Ｐ２ａ，Ｐ２ｂ，…）の１個を選択し、選択された前記駆動回路からそれに接続された前記発光素子に所定の電流を出力して流し、かつ前記した選択された前記駆動回路以外の前記駆動回路からは電流を出力しないよう制御した上で、前記光量測定回路（Ｈ）に対し、光量測定データ生成指令信号（Ｓｓ）を送信する動作を、前記駆動回路（Ｐ１ａ，Ｐ１ｂ，…，Ｐ２ａ，Ｐ２ｂ，…）の全てに亘って順に選択して実行するシーケンスを実施することができ、前記光量測定回路（Ｈ）は、前記光量測定データ生成指令信号（Ｓｓ）を受信したときは、そのときに受信した映像信号（Ｓｇ）について明るさを面積分計算した前記光量測定データを生成することを特徴とする請求項１から５に記載の光源装置。
【請求項７】
前記要素光源（Ｕ１，Ｕ２，…）のうちの特定の前記要素光源に対応する前記光量測定データにおいて、光量の有意な不足を検知した場合には、前記した特定の前記要素光源に属する前記光ファイバの異常を検知することを特徴とする請求項１から６のいずれかに記載の光源装置。
【請求項８】
前記制御回路（Ｍｃ）は、前記光量測定データ（Ｓｈ１ｘ，Ｓｈ１ｙ，…，Ｓｈ２ｘ，Ｓｈ２ｙ，…）に基づいて、それぞれの前記波長帯域毎の光量の和が、それぞれの目標値との誤差が小さくなるよう、前記駆動回路（Ｐ１ａ，Ｐ１ｂ，…，Ｐ２ａ，Ｐ２ｂ，…）が前記発光素子（Ｙ１ａ，Ｙ１ｂ，…，Ｙ２ａ，Ｙ２ｂ，…）に流す電流値をフィードバック制御によって調整することを特徴とする請求項１から７のいずれかに記載の光源装置。
【請求項９】
請求項１から８のいずれかに記載の光源装置を利用して画像を投影表示することを特徴とするプロジェクタ。
【発明の詳細な説明】
【技術分野】
【０００１】
本発明は、例えば、プロジェクタなどの光学装置において使用可能な、半導体レーザなどの発光素子と光ファイバを用いた光源装置に関する。
【背景技術】
【０００２】
例えば、ＤＬＰ(TM)プロジェクタや液晶プロジェクタのような画像表示用のプロジェクタや、フォトマスク露光装置においては、これまで、キセノンランプや超高圧水銀ランプなどの高輝度放電ランプ（ＨＩＤランプ）が使用されてきた。一例として、本発明のプロジェクタに係わる従来のプロジェクタの一種の一部の一形態を説明する図である、図４を用いてプロジェクタの原理について述べる（参考：特開２００４−２５２１１２号など）。
【０００３】
前記したように、高輝度放電ランプ等からなる光源（ＳｊＡ）からの光は、凹面反射鏡やレンズ等からなる集光手段（図示を省略）の助けを借りるなどして、光均一化手段（ＦｍＡ）の入射端（ＰｍｉＡ）に入力され、射出端（ＰｍｏＡ）から出力される。ここで、前記光均一化手段（ＦｍＡ）として、例えば、光ガイドを使うことができ、これは、ロッドインテグレータ、ライトトンネルなどの名称でも呼ばれており、ガラスや樹脂などの光透過性の材料からなる角柱によって構成され、前記入射端（ＰｍｉＡ）に入力された光は、光ファイバと同じ原理に従って、前記光均一化手段（ＦｍＡ）の側面で全反射を繰り返しながら、前記光均一化手段（ＦｍＡ）の中を伝播することにより、仮に前記入射端（ＰｍｉＡ）に入力された光の分布にムラがあったとしても、前記射出端（ＰｍｏＡ）上の照度が十分に均一化されるように機能する。
【０００４】
なお、いま述べた光ガイドに関しては、前記した、ガラスや樹脂などの光透過性の材料からなる角柱によって構成されるものの他に、中空の角筒で、その内面が反射鏡になっており、同様に内面で反射を繰り返しながら光を伝播させ、同様の機能を果たすものもある。
【０００５】
前記射出端（ＰｍｏＡ）の四角形の像が、２次元光振幅変調素子（ＤｍｊＡ）上に結像されるよう、照明レンズ（Ｅｊ１Ａ）を配置することにより、前記射出端（ＰｍｏＡ）から出力された光によって前記２次元光振幅変調素子（ＤｍｊＡ）が照明される。ただし、図４においては、前記照明レンズ（Ｅｊ１Ａ）と前記２次元光振幅変調素子（ＤｍｊＡ）との間にミラー（ＭｊＡ）を配置してある。そして前記２次元光振幅変調素子（ＤｍｊＡ）は、映像信号に従って、画素毎に光を投影レンズ（Ｅｊ２Ａ）に入射される方向に向かわせる、あるいは入射されない方向に向かわせるように変調することにより、スクリーン（Ｔｊ）上に画像を表示する。
【０００６】
なお、前記したような２次元光振幅変調素子は、ライトバルブと呼ばれることもあり、図４の光学系の場合は、前記２次元光振幅変調素子（ＤｍｊＡ）として、一般にＤＭＤ(TM)（ディジタル・マイクロミラー・デバイス）が使われることが多い。
【０００７】
光均一化手段に関しては、前記した光ガイドの他に、フライアイインテグレータという名称で呼ばれるものもあり、この光均一化手段を使ったプロジェクタについて、一例として、本発明のプロジェクタに係わる従来のプロジェクタの一種の一部の一形態を説明する図である、図５を用いてその原理を述べる（参考：特開２００１−１４２１４１号など）。
【０００８】
高輝度放電ランプ等からなる光源（ＳｊＢ）からの光は、凹面反射鏡やレンズ等からなるコリメータ手段（図示を省略）の助けを借りるなどして、略平行光束として、フライアイインテグレータによる光均一化手段（ＦｍＢ）の入射端（ＰｍｉＢ）に入力され、射出端（ＰｍｏＢ）から出力される。ここで、前記光均一化手段（ＦｍＢ）は、入射側の前段フライアイレンズ（Ｆ１Ｂ）と射出側の後段フライアイレンズ（Ｆ２Ｂ）と照明レンズ（Ｅｊ１Ｂ）の組合せで構成される。前記前段フライアイレンズ（Ｆ１Ｂ）、前記後段フライアイレンズ（Ｆ２Ｂ）ともに、同一焦点距離、同一形状の四角形のレンズを、縦横それぞれに多数並べたものとして形成されている。
【０００９】
前記前段フライアイレンズ（Ｆ１Ｂ）の各レンズと、それぞれの後段にある、前記後段フライアイレンズ（Ｆ２Ｂ）の対応するレンズとは、ケーラー照明と呼ばれる光学系を構成しており、したがって、ケーラー照明光学系が縦横に多数並んでいることになる。一般にケーラー照明光学系とは、２枚のレンズから構成され、前段レンズが光を集めて対象面を照明するに際し、前段レンズは、対象面に光源像を結像するのではなく、後段レンズ中央の面上に光源像を結像し、後段レンズが前段レンズの外形の四角形を対象面（照明したい面）に結像するよう配置することにより、対象面を均一に照明するものである。後段レンズの働きは、もしこれが無い場合は、光源が完全な点光源でなく有限の大きさを持つとき、その大きさに依存して対象面の四角形の周囲部の照度が落ちる現象を防ぐためで、後段レンズによって、光源の大きさに依存せずに、対象面の四角形の周囲部まで均一な照度にすることができる。
【００１０】
ここで、図５の光学系の場合、前記光均一化手段（ＦｍＢ）には略平行光束が入力されることを基本としているため、前記前段フライアイレンズ（Ｆ１Ｂ）と前記後段フライアイレンズ（Ｆ２Ｂ）との間隔は、それらの焦点距離に等しくなるように配置され、よってケーラー照明光学系としての均一照明の対象面の像は無限遠に生成される。ただし、前記後段フライアイレンズ（Ｆ２Ｂ）の後段には、前記照明レンズ（Ｅｊ１Ｂ）を配置してあるため、対象面は、無限遠から前記照明レンズ（Ｅｊ１Ｂ）の焦点面上に引き寄せられる。縦横に多数並んでいるケーラー照明光学系は、入射光軸（ＺｉＢ）に平行であり、それぞれの中心軸に対して略軸対称に光束が入力されるため、出力光束も略軸対称であるから、レンズ面に同じ角度で入射した光線は、レンズ面上の入射位置によらず、焦点面上の同じ点に向かうよう屈折される、というレンズの性質、即ちレンズのフーリエ変換作用により、全てのケーラー照明光学系の出力は、前記照明レンズ（Ｅｊ１Ｂ）の焦点面上の同じ対象面に結像される。
【００１１】
その結果、前記前段フライアイレンズ（Ｆ１Ｂ）の各レンズ面での照度分布が全て重ね合わされ、よって、ケーラー照明光学系が１個の場合よりも照度分布がより均一となった、１個の合成四角形の像が、前記入射光軸（ＺｉＢ）上に形成されることになる。前記合成四角形の像の位置に２次元光振幅変調素子（ＤｍｊＢ）を配置することにより、前記射出端（ＰｍｏＢ）から出力された光によって、照明対象である前記２次元光振幅変調素子（ＤｍｊＢ）が照明される。ただし、照明に際しては、前記照明レンズ（Ｅｊ１Ｂ）と前記２次元光振幅変調素子（ＤｍｊＢ）との間に偏光ビームスプリッタ（ＭｊＢ）を配置して、これにより光が前記２次元光振幅変調素子（ＤｍｊＢ）に向けて反射されるようにしてある。そして前記２次元光振幅変調素子（ＤｍｊＢ）は、映像信号に従って、画素毎に光の偏光方向を９０度回転させる、あるいは回転させないように変調して反射することにより、回転させられた光のみが、前記偏光ビームスプリッタ（ＭｊＢ）を透過して投影レンズ（Ｅｊ３Ｂ）に入射され、スクリーン（Ｔｊ）上に画像を表示する。
【００１２】
なお、図５の光学系の場合、前記２次元光振幅変調素子（ＤｍｊＡ）として、一般にＬＣＯＳ(TM)（シリコン液晶デバイス）が使われることが多い。このような液晶デバイスの場合、規定の偏光方向の光の成分しか有効に変調できないため、普通は、規定の偏光方向に平行な成分はそのまま透過させるが、規定の偏光方向に垂直な成分のみ偏光方向を９０度回転させ、結果として全ての光を有効利用できるようにするための偏光整列機能素子（ＰｃＢ）が、例えば前記後段フライアイレンズ（Ｆ２Ｂ）の後段に挿入される。また、前記２次元光振幅変調素子（ＤｍｊＢ）には略平行光が入射されるよう、例えばその直前に、フィールドレンズ（Ｅｊ２Ｂ）が挿入される。
【００１３】
なお、２次元光振幅変調素子に関しては、図５に記載したような反射型のものの他に、透過型の液晶デバイス（ＬＣＤ）も、それに適合する光学配置にして使用される（参考：特開平１０−１３３３０３号など）。
【００１４】
ところで、通常のプロジェクタでは、画像をカラー表示するために、例えば、前記光均一化手段の後段にカラーホイールなどの動的色フィルタを配置して、Ｒ・Ｇ・Ｂ（赤および緑、青）の色順次光束として前記２次元光振幅変調素子を照明し、時分割によってカラー表示を実現したり、あるいは、前記光均一化手段の後段にダイクロイックミラーやダイクロイックプリズムを配置してＲ・Ｇ・Ｂの３原色に色分解した光で各色独立に設けた２次元光振幅変調素子を照明し、Ｒ・Ｇ・Ｂの３原色の変調光束の色合成を行うためのダイクロイックミラーやダイクロイックプリズムを配置したりするが、複雑になることを避けるため、図４、図５においては省略してある。
【００１５】
しかしながら、前記した高輝度放電ランプは、投入電力から光パワーへの変換効率が低い、すなわち発熱損が大きい、あるいは寿命が短い、などの欠点を有していた。これらの欠点を克服した代替光源として、近年、ＬＥＤや半導体レーザ等の固体光源が注目されている。このうち、ＬＥＤについては、放電ランプと比較して発熱損が小さく、また長寿命であるが、放射される光に関しては、放電ランプと同様に指向性が無いため、前記したプロジェクタや露光装置等の、特定の方向の光のみが利用可能な用途においては、光の利用効率が低いという問題があった。
【００１６】
一方、半導体レーザについては、その高い可干渉性に起因してスペックルが発生するという欠点があるが、例えば拡散板を用いるなどの種々の技術的改良により克服が可能であり、ＬＥＤと同様に、発熱損が小さく、長寿命である上に、指向性が高いため、前記したプロジェクタや露光装置等の、特定の方向の光のみが利用可能な用途においても、光の利用効率が高いという利点がある。また、高い指向性を活かして、光ファイバによる光伝送を高効率で行えるため、半導体レーザの設置場所と、プロジェクタなど、その光を利用する場所とを分離することが可能であり、装置設計の自由度を高めることができる。
【００１７】
ただし、半導体レーザは、同じ電流を流す場合でも、環境温度変化または自己発熱による温度上昇によって、さらに累積通電時間の増加に伴う劣化によって明るさが変化するため、これをプロジェクタに応用する場合は、光量安定化を行うべくフィードバック制御されることが望ましい。それを実現するためには、光量を測定する手段が必須であり、特に、プロジェクタへの光の入り口、即ち、光ファイバの出射端においてＲ・Ｇ・Ｂそれぞれの光量を測定するための光量測定手段を設置することが望ましい。
【００１８】
ところで、光ファイバについては、前記した利便性の反面、石英などの脆弱なガラスを素材としているため、破断の危険性があるという欠点がある。例えば、１万ＡＮＳＩルーメンの明るさを有するプロジェクタを実現しようとする場合、光学系の効率にもよるが、約２００Ｗの光パワーを光ファイバで伝送する必要がある。このために、仮に６本の光ファイバに分けて伝送するとしても、１本あたり３０Ｗ以上の光パワーを伝送しなければならないことになる。因みに、光ファイバの本数をさらに増せば、１本あたりのパワーを減らすことができるが、コスト増となるため、無闇に光ファイバの本数を増すことはできない。このような大きなパワーを伝送する光ファイバが破断すると、破断箇所から光パワーが漏洩して光ファイバを機械的に保護するために設けた被覆材に吸収され、被覆材が焼損に至る可能性があるため、光ファイバの破断が起きれば、それを検知して半導体レーザを消灯する安全対策が必要となる。
【００１９】
このような部材の焼損の可能性があるような高パワー応用のものから通信用などの低パワー応用のものまで、従来より光ファイバの破断を検知するための技術が開発されて来た。例えば、特開平０６−０５０８４１号には、主として通信用の光ファイバに対し、伝送すべき波長の光とともに、それとは異なる波長のモニタ用の光を送信側から送出し、受信側ではモニタ用の光を反射して戻すフィルタを備え、送信側でモニタ用の光の戻りの有無を監視することにより、光ファイバの破断を検知する技術が記載されている。
【００２０】
さらに、例えば特開平０９−２６９２４８号には、主として通信用の光ファイバに対し、パルス光を入射したときの戻り光の波形に基づいて、光ファイバの破断の有無を検知し、破断している場合は破断点までの距離を算出する技術が記載されている。
【００２１】
また、例えば特開平１０−０３８７５１号には、主としてレーザ加工用の高パワー光ファイバに対し、入射端側および出射端側それぞれのレンズ系近傍に、レンズ系内の迷光を検出する光センサを設けておき、両方の光センサの検出光量を比較して光ファイバの破断を検知する技術が記載されている。
【００２２】
さらに、例えば特開平１１−００５１８７号には、主としてレーザ加工用の高パワー光ファイバに対し、それを覆う保護管を設け、その内側に光ファイバから漏洩するレーザ光を検出する複数のセンサを並べて配置し、光ファイバの破断を検知する技術が記載されている。
【００２３】
さらに、例えば特開平１１−３４４４１７号には、主としてレーザ加工用の高パワー光ファイバに対し、伝送すべき波長の光とともに、それとは異なる波長のモニタ用の光を送信側から送出し、受信側でモニタ用の光の有無を監視することにより、光ファイバの破断を検知する技術が記載されている。
【００２４】
さらに、例えば特開２００２−３５０６９４号、および特開２００４−２１９２４４号には、通信用やレーザ加工用の光ファイバに対し、その外周面に導電性被膜を設け、入射端側と出射端側の間の導通状態を監視することにより光ファイバの破断を検知する技術が記載されている。
【００２５】
さらに、例えば特開２００３−２７９４４４号には、主としてレーザ加工用の高パワー光ファイバに対し、多数の温度ヒューズを直列接続したケーブルを沿わせて設置し、温度ヒューズの溶断によって光ファイバの破断を検知する技術が記載されている。
【００２６】
さらに、例えば特開２００６−０６４３９９号には、主として通信用の光ファイバに対し、変調を加えた光を入射したときの戻り変調光の位相差に基づいて、光ファイバの破断の有無を検知し、破断している場合は破断点までの距離を算出する技術が記載されている。
【００２７】
さらに、例えば特開２０１２−１４７８６０号には、主として内視鏡照明用の光ファイバに対し、光の入射端側で測定した入射光量と戻り光量の比に基づいて光ファイバの破断を検知する技術が記載されている。
【００２８】
しかしながら、これら従来の技術は、前記したようなプロジェクタ用光源として半導体レーザを応用する場合に適用する事は有利ではなかった。その理由は、複数本の光ファイバを併用する場合、モニタ用光源や破断検出機構などの何らかの仕掛けを光ファイバの１本ずつに施すことはコスト高となるからである。前記したように、光量安定化を目的として、光ファイバの出射端においてＲ・Ｇ・Ｂそれぞれの光量を測定するための光量測定手段を設置するのであれば、これを流用できる光ファイバの破断検知技術を確立することが有利である。
【先行技術文献】
【特許文献】
【００２９】
【特許文献１】特開平０６−０５０８４１号
【特許文献２】特開平０９−２６９２４８号
【特許文献３】特開平１０−０３８７５１号
【特許文献４】特開平１１−００５１８７号
【特許文献５】特開平１１−３４４４１７号
【特許文献６】特開２００２−３５０６９４号
【特許文献７】特開２００４−２１９２４４号
【特許文献８】特開２００３−２７９４４４号
【特許文献９】特開２００６−０６４３９９号
【特許文献１０】特開２０１２−１４７８６０号
【発明の概要】
【発明が解決しようとする課題】
【００３０】
本発明が解決しようとする課題は、個々の光ファイバではなく、全ての光ファイバのからの放射光を総合した１個の出力光束を対象とした測定によって、個々の光ファイバの破断等の異常を検知できるようにした光源装置およびプロジェクタを提供することにある。
【課題を解決するための手段】
【００３１】
本発明における第１の発明の光源装置は、１個以上の発光素子（Ｙ１ａ，Ｙ１ｂ，…，Ｙ２ａ，Ｙ２ｂ，…）と、前記発光素子（Ｙ１ａ，Ｙ１ｂ，…，Ｙ２ａ，Ｙ２ｂ，…）を駆動する駆動回路（Ｐ１ａ，Ｐ１ｂ，…，Ｐ２ａ，Ｐ２ｂ，…）と、前記発光素子（Ｙ１ａ，Ｙ１ｂ，…，Ｙ２ａ，Ｙ２ｂ，…）から発せられた光を集光する集光光学系（Ｅｃ１，Ｅｃ２，…）と、前記集光光学系（Ｅｃ１，Ｅｃ２，…）が集光した光を入射端（Ｅｉ１，Ｅｉ２，…）で受け導光して出射端（Ｅｏ１，Ｅｏ２，…）から放射する光ファイバ（Ｅｆ１，Ｅｆ２，…）と、を具備するユニットを１個の要素光源（Ｕ１，Ｕ２，…）として、該要素光源（Ｕ１，Ｕ２，…）の複数個を有し、前記要素光源（Ｕ１，Ｕ２，…）のそれぞれの前記光ファイバ（Ｅｆ１，Ｅｆ２，…）の前記出射端（Ｅｏ１，Ｅｏ２，…）からの放射光を総合して１個の出力光束（Ｆｏ）と成して出力する光源装置であって、該光源装置は、さらに、撮像素子（Ｃ）と、前記撮像素子（Ｃ）からの映像信号（Ｓｇ）を受信して前記撮像素子（Ｃ）が取得した映像において設けた複数の積分領域（Ａ１，Ａ２，…）におけるそれぞれの明るさを面積分計算した光量測定データ（Ｓｈ１，Ｓｈ２，…，Ｓｈ１ｘ，Ｓｈ１ｙ，…，Ｓｈ２ｘ，Ｓｈ２ｙ，…）を生成する光量測定回路（Ｈ）と、前記光量測定データ（Ｓｈ１，Ｓｈ２，…，Ｓｈ１ｘ，Ｓｈ１ｙ，…，Ｓｈ２ｘ，Ｓｈ２ｙ，…）を受信するとともに前記駆動回路（Ｐ１ａ，Ｐ１ｂ，…，Ｐ２ａ，Ｐ２ｂ，…）を制御する制御回路（Ｍｃ）と、を有し、前記光源装置は、さらに前記要素光源（Ｕ１，Ｕ２，…）のそれぞれの前記光ファイバ（Ｅｆ１，Ｅｆ２，…）の前記出射端（Ｅｏ１，Ｅｏ２，…）からの放射光を総合して１個の光束と成した、少なくともその一部による前記光ファイバ（Ｅｆ１，Ｅｆ２，…）のそれぞれの前記出射端（Ｅｏ１，Ｅｏ２，…）全体に対する共役像（Ｇｏ）を一括して前記撮像素子（Ｃ）の撮像面（Ｒｕｖ）に投影するための結像光学系（Ｅａ）を有することによって、前記制御回路（Ｍｃ）が、前記光ファイバ（Ｅｆ１，Ｅｆ２，…）のそれぞれが導光する光量に相関する量としての前記出射端（Ｅｏ１，Ｅｏ２，…）のそれぞれの明るさを面積分計算した前記光量測定データ（Ｓｈ１，Ｓｈ２，…，Ｓｈ１ｘ，Ｓｈ１ｙ，…，Ｓｈ２ｘ，Ｓｈ２ｙ，…）を受信することができるように構成してあり、前記制御回路（Ｍｃ）は、受信した前記光量測定データ（Ｓｈ１，Ｓｈ２，…，Ｓｈ１ｘ，Ｓｈ１ｙ，…，Ｓｈ２ｘ，Ｓｈ２ｙ，…）と、正常時に受信されるべきデータとを比較し、異常を検知することを特徴とするものである。
【００３２】
本発明における第２の発明の光源装置は、前記発光素子（Ｙ１ａ，Ｙ１ｂ，…，Ｙ２ａ，Ｙ２ｂ，…）は、発光波長が複数種類の異なる波長帯域に属するものを含んでおり、前記撮像素子（Ｃ）は３原色の映像信号（Ｓｇ）を出力可能であり、前記光量測定回路（Ｈ）は、それぞれの前記波長帯域について光量測定データ（Ｓｈ１ｘ，Ｓｈ１ｙ，…，Ｓｈ２ｘ，Ｓｈ２ｙ，…）を生成することを特徴とするものである。
【００３３】
本発明における第３の発明の光源装置は、前記制御回路（Ｍｃ）は、前記要素光源（Ｕ１，Ｕ２，…）の１個を選択し、選択された前記要素光源に属する少なくとも１個の前記駆動回路からそれに接続された前記発光素子に所定の電流を出力して流し、かつ前記した選択されたもの以外の全ての前記要素光源に属する前記駆動回路は電流を出力しないよう前記駆動回路（Ｐ１ａ，Ｐ１ｂ，…，Ｐ２ａ，Ｐ２ｂ，…）を制御した上で、前記光量測定回路（Ｈ）に対し、選択された前記要素光源の要素光源識別情報（Ｓｕ）とともに積分領域決定指令信号（Ｓａ）を送信する動作を、前記要素光源（Ｕ１，Ｕ２，…）の全てに亘って順に選択して実行するシーケンスを実施することができ、前記光量測定回路（Ｈ）は、前記積分領域決定指令信号（Ｓａ）を受信したときは、そのときに受信した映像信号（Ｓｇ）に基づき、光ファイバ（Ｅｆ１，Ｅｆ２，…）の前記出射端（Ｅｏ１，Ｅｏ２，…）に対応する前記積分領域（Ａ１，Ａ２，…）を決定してこれを前記要素光源識別情報（Ｓｕ）と関連づけて記憶することを特徴とするものである。
【００３４】
本発明における第４の発明の光源装置は、前記制御回路（Ｍｃ）は、前記した、選択された前記要素光源に属する前記発光素子のなかに複数種類の発光波長の波長帯域のものを含むときは、前記波長帯域の１種類を選択し、その波長帯域に属する発光波長の少なくとも１個の前記発光素子に所定の電流を流し、かつ前記した選択されたもの以外の全ての波長帯域の発光素子には電流を流さないよう前記駆動回路（Ｐ１ａ，Ｐ１ｂ，…，Ｐ２ａ，Ｐ２ｂ，…）を制御した上で、前記光量測定回路（Ｈ）に対し、選択された前記要素光源の要素光源識別情報（Ｓｕ）および選択された波長帯域の波長帯域識別情報（Ｓｒ）とともに積分領域決定指令信号（Ｓａ）を送信する動作を、前記した選択された前記要素光源に属する前記波長帯域の全てに亘って順に選択して実行することを特徴とするものである。
【００３５】
本発明における第５の発明の光源装置は、前記光量測定回路（Ｈ）は、前記映像信号（Ｓｇ）から得られる画素データのうちの、適当に定めた閾値以上の信号強度を有する前記画素データが存在する、前記撮像面（Ｒｕｖ）上の横および縦方向に対応する画素番号ｋｕおよびｋｖの範囲、すなわち、ｋｕ１からｋｕ２まで、およびｋｖ１からｋｖ２まで、をそれぞれ特定して、前記４個のパラメータ ｋｕ１，ｋｕ２，ｋｖ１，ｋｖ２ を記憶し、前記した面積分計算に際しては、前記４個のパラメータ ｋｕ１，ｋｕ２，ｋｖ１，ｋｖ２ に基づいて前記積分領域（Ａ１，Ａ２，…）を規定することを特徴とするものである。
【００３６】
本発明における第６の発明の光源装置は、前記制御回路（Ｍｃ）は、前記駆動回路（Ｐ１ａ，Ｐ１ｂ，…，Ｐ２ａ，Ｐ２ｂ，…）の１個を選択し、選択された前記駆動回路からそれに接続された前記発光素子に所定の電流を出力して流し、かつ前記した選択された前記駆動回路以外の前記駆動回路からは電流を出力しないよう制御した上で、前記光量測定回路（Ｈ）に対し、光量測定データ生成指令信号（Ｓｓ）を送信する動作を、前記駆動回路（Ｐ１ａ，Ｐ１ｂ，…，Ｐ２ａ，Ｐ２ｂ，…）の全てに亘って順に選択して実行するシーケンスを実施することができ、前記光量測定回路（Ｈ）は、前記光量測定データ生成指令信号（Ｓｓ）を受信したときは、そのときに受信した映像信号（Ｓｇ）について明るさを面積分計算した前記光量測定データを生成することを特徴とするものである。
【００３７】
本発明における第７の発明の光源装置は、前記要素光源（Ｕ１，Ｕ２，…）のうちの特定の前記要素光源に対応する前記光量測定データにおいて、光量の有意な不足を検知した場合には、前記した特定の前記要素光源に属する前記光ファイバの異常を検知することを特徴とするものである。
【００３８】
本発明における第８の発明の光源装置は、前記制御回路（Ｍｃ）は、前記光量測定データ（Ｓｈ１ｘ，Ｓｈ１ｙ，…，Ｓｈ２ｘ，Ｓｈ２ｙ，…）に基づいて、それぞれの前記波長帯域毎の光量の和が、それぞれの目標値との誤差が小さくなるよう、前記駆動回路（Ｐ１ａ，Ｐ１ｂ，…，Ｐ２ａ，Ｐ２ｂ，…）が前記発光素子（Ｙ１ａ，Ｙ１ｂ，…，Ｙ２ａ，Ｙ２ｂ，…）に流す電流値をフィードバック制御によって調整することを特徴とするものである。
【００３９】
本発明における第９の発明のプロジェクタは、第１から８の発明に記載の光源装置を利用して画像を投影表示することを特徴とするものである。
【発明の効果】
【００４０】
個々の光ファイバではなく、全ての光ファイバのからの放射光を総合した１個の出力光束を対象とした測定によって、個々の光ファイバの破断等の異常を検知できるようにした光源装置およびプロジェクタを提供することができる。
【図面の簡単な説明】
【００４１】
【図１】本発明の光源装置を簡略化して示すブロック図を表す。
【図２】本発明の光源装置の一部を簡略化して示す概念図を表す。
【図３】本発明の光源装置の実施例の一形態を簡略化して示す図を表す。
【図４】本発明のプロジェクタに係わる従来のプロジェクタの一種の一部の一形態を説明する図を表す。
【図５】本発明のプロジェクタに係わる従来のプロジェクタの一種の一部の一形態を説明する図を表す。
【発明を実施するための形態】
【００４２】
先ず、本発明の光源装置を簡略化して示すブロック図である図１を用いて、本発明を実施するための形態について説明する。要素光源（Ｕ１）に設けられている発光素子（Ｙ１ａ，Ｙ１ｂ，…）は、駆動回路（Ｐ１ａ，Ｐ１ｂ，…）によって駆動されて発光し、発せられた光は、例えばレンズから成る集光光学系（Ｅｃ１）によって光ファイバ（Ｅｆ１）の入射端（Ｅｉ１）に集光され、前記光ファイバ（Ｅｆ１）のコアを伝播して出射端（Ｅｏ１）から放射される。
【００４３】
なお、前記発光素子（Ｙ１ａ，Ｙ１ｂ，…）については、ここでは、例えば半導体レーザや、半導体レーザの放射光を、高調波発生・光パラメトリック効果などのような非線形光学現象を利用して波長変換する光源などであり、そのような光源の複数個を直列接続、あるいは並列接続、さらには直並列接続するなどして、１個の前記駆動回路（Ｐ１ａ，Ｐ１ｂ，…）によって駆動できるものとしている。また、前記駆動回路（Ｐ１ａ，Ｐ１ｂ，…）については、ここでは、直流電源（図示を省略）によって給電される、例えば降圧チョッパや昇圧チョッパなど方式の回路によって構成された、ＤＣ／ＤＣコンバータであり、前記発光素子（Ｙ１ａ，Ｙ１ｂ，…）に規定の電力を投入できるものとしている。制御回路（Ｍｃ）は、駆動回路制御信号（Ｊ１ａ，Ｊ１ｂ，…，Ｊ２ａ，Ｊ２ｂ，…）を介して前記駆動回路（Ｐ１ａ，Ｐ１ｂ，…，Ｐ２ａ，Ｐ２ｂ，…）毎に独立に制御し、それぞれの前記発光素子（Ｙ１ａ，Ｙ１ｂ，…，Ｙ２ａ，Ｙ２ｂ，…）に規定電流を流すようにすることができるように構成されている。
【００４４】
本発明の光源装置は、前記要素光源（Ｕ１）と同様の要素光源の複数個を有しており、これら要素光源（Ｕ１，Ｕ２，…）の光ファイバ（Ｅｆ１，Ｅｆ２，…）の出射端（Ｅｏ１，Ｅｏ２，…）からの放射光は、総合されて１個の出力光束（Ｆｏ）として本発明の光源装置から出力される。なお、複数個の前記出射端（Ｅｏ１，Ｅｏ２，…）からの放射光の総合方法としては、最も簡単には、前記出射端（Ｅｏ１，Ｅｏ２，…）が同一平面上に位置するように揃えて、前記光ファイバ（Ｅｆ１，Ｅｆ２，…）の出射端部を束ねる事により実現することができる。
【００４５】
前記光ファイバ（Ｅｆ１，Ｅｆ２，…）のそれぞれが導光する光量に相関する量を測定できるよう、前記出力光束（Ｆｏ）と同様に、前記出射端（Ｅｏ１，Ｅｏ２，…）からの放射光の少なくともその一部を総合した測定用出力光束（Ｆｏ’）のを抽出できるようにする。この光束を、レンズ等を用いて構成した結像光学系（Ｅａ）に導き、前記光ファイバ（Ｅｆ１，Ｅｆ２，…）の前記出射端（Ｅｏ１，Ｅｏ２，…）全体を入力像とした、その実像、すなわち共役像（Ｇｏ）を生成し、該共役像（Ｇｏ）の箇所に撮像面が位置するよう、撮像素子（Ｃ）を配置する。なお、前記測定用出力光束（Ｆｏ’）は、前記出力光束（Ｆｏ）から分割して生成してもよいし、前記出力光束（Ｆｏ）の生成に際して生じた、有効に利用できない、迷光となる光などでもよく、前記出力光束（Ｆｏ）の光量に相関する光量を有するものであれば、どのような光でも利用できる。該撮像素子（Ｃ）によって撮影された画像に対して画像処理を行うため、前記撮像素子（Ｃ）からの映像信号（Ｓｇ）は光量測定回路（Ｈ）に入力される。
【００４６】
ここで、本発明の光源装置の一部を簡略化して示す概念図である図２を用いて、前記光量測定回路（Ｈ）の機能について説明する。前記したように、撮像面（Ｒｕｖ）が、前記出射端（Ｅｏ１，Ｅｏ２，…）が存在する面と共役になるよう、前記撮像素子（Ｃ）を配置したため、前記撮像面（Ｒｕｖ）には前記出射端（Ｅｏ１，Ｅｏ２，…）の像が結像されており、その光分布（Ｗ１，Ｗ２，…）が、前記撮像面（Ｒｕｖ）上にとった座標（ｕ，ｖ）に依存する関数形で、Ｗ１（ｕ，ｖ），Ｗ２（ｕ，ｖ），… のように表現可能な形態で生成される。前記光量測定回路（Ｈ）は、前記撮像素子（Ｃ）からディジタルの前記映像信号（Ｓｇ）を受信して、諧調画像として２次元的に並んだ各画素毎の明るさデータを取得する。
【００４７】
例えば、ｕ方向に対応するｋｕ番目、ｖ方向に対応するｋｖ番目（ｋｕ、ｋｖは整数）の画素データ Ｖ［ｋｕ，ｋｖ］ を取得し、これらは、例えば２次元配列として取得する。例えば、１個の前記出射端（Ｅｏ１）の前記光量測定データ（Ｓｈ１）を取得する場合は、前記出射端（Ｅｏ１）に対応する前記光分布（Ｗ１）を含む積分領域（Ａ１）に注目し、この領域に対応するｋｕとｋｖの組の全てについて、画素データ Ｖ［ｋｕ，ｋｖ］ の総和を計算する。このようにして、全ての前記出射端（Ｅｏ１，Ｅｏ２，…）それぞれに対応する前記光分布（Ｗ１，Ｗ２，…）を含む積分領域（Ａ１，Ａ２，…）に基づき、光量測定データ（Ｓｈ１，Ｓｈ２，…）を計算することができる。
【００４８】
例えば本光源装置をプロジェクタ用の光源として使用している場合であれば、プロジェクタとしての映像投影稼動中を含む、通常の点灯中に、前記光量測定回路（Ｈ）は、前記光量測定データ（Ｓｈ１，Ｓｈ２，…）の生成を定期的に行って前記制御回路（Ｍｃ）に送信する。あるいは、前記制御回路（Ｍｃ）が前記光量測定データの生成を定期的に要求し、それに従って前記光量測定回路（Ｈ）が前記光量測定データ（Ｓｈ１，Ｓｈ２，…）の生成を行うようにしてもよい。
【００４９】
前記制御回路（Ｍｃ）は、生成された前記光量測定データ（Ｓｈ１，Ｓｈ２，…）を前記光量測定回路（Ｈ）から受信するが、それとは別に本光源装置が正常である時に受信されるべき、前記光量測定データ（Ｓｈ１，Ｓｈ２，…）のそれぞれに対応する、比較対象データ Ｓｃ１，Ｓｃ２，… を保持しており、対応する値どうしを比較し、例えば比較対象データより有意に小さい光量測定データを見出すことにより、異常を検知することができる。ここで、ある光量測定データ（Ｓｈ１，Ｓｈ２，…）が有意に小さいことの判定は、すなわち、例えば、正常な場合にも存在する前記要素光源（Ｕ１，Ｕ２，…）毎の前記光量測定データ（Ｓｈ１，Ｓｈ２，…）のバラツキや変動等の不確定割合が、例えば２０％であるとしたとき、前記比較対象データ Ｓｃ１，Ｓｃ２，… のそれぞれから前記不確定割合分を差し引いた値、すなわち前記比較対象データ Ｓｃ１，Ｓｃ２，… のそれぞれの８０％を閾値として、該閾値よりも、その光量測定データ（Ｓｈ１，Ｓｈ２，…）が小さいことにより判定すればよい。
【００５０】
なお前記したように、前記制御回路（Ｍｃ）は、前記駆動回路制御信号（Ｊ１ａ，Ｊ１ｂ，…，Ｊ２ａ，Ｊ２ｂ，…）を介して前記駆動回路（Ｐ１ａ，Ｐ１ｂ，…，Ｐ２ａ，Ｐ２ｂ，…）毎に独立に制御し、それぞれの前記発光素子（Ｙ１ａ，Ｙ１ｂ，…，Ｙ２ａ，Ｙ２ｂ，…）に流す出力電流を設定すること、すなわち調光することができるため、調光状態に応じた前記比較対象データ Ｓｃ１，Ｓｃ２，… を用意する必要がある。このような場合は、例えば前記比較対象データ Ｓｃ１，Ｓｃ２，… のそれぞれに対応して、調光率が１００％のときの基準データ Ｓｎ１，Ｓｎ２，… を保持するとともに、前記要素光源（Ｕ１，Ｕ２，…）それぞれについて、それに属する前記駆動回路（Ｐ１ａ，Ｐ１ｂ，…，Ｐ２ａ，Ｐ２ｂ，…）の各々の出力電流の総和の情報 Ｉｎ１，Ｉｎ２，… を保持しておいた上で、調光を行った状態では、前記要素光源（Ｕ１，Ｕ２，…）それぞれについて、同様にそれに属する要素光源の出力電流の総和 Ｉｃ１，Ｉｃ２，… を算出し、これらどうしの比 Ｉｃ１／Ｉｎ１，Ｉｃ２／Ｉｎ２，… によってそれぞれの調光率とし、前記基準データ Ｓｎ１，Ｓｎ２，… のそれぞれに対して調光率 Ｉｃ１／Ｉｎ１，Ｉｃ２／Ｉｎ２，… のそれぞれを乗算する演算処理を施したＳｎ１・Ｉｃ１／Ｉｎ１，Ｓｎ２・Ｉｃ２／Ｉｎ２，… によって前記比較対象データ Ｓｃ１，Ｓｃ２，… を生成することができる。
【００５１】
ところで、前記光量測定データ（Ｓｈ１，Ｓｈ２，…）は、光量に相関する量であり、発光素子に流される電流値に直接相関するものではないが、これらは概ね比例しており、仮に誤差がある場合でも、前記した比較の際の不確定割合の設定により誤差の影響を回避することができるため、前記比較対象データ Ｓｃ１，Ｓｃ２，… の前記した生成方法は十分実用的である。
【００５２】
本発明は、本光源装置が白色光源である場合など、前記発光素子（Ｙ１ａ，Ｙ１ｂ，…，Ｙ２ａ，Ｙ２ｂ，…）の発光波長として、複数種類の異なる波長帯域に属するものを含んでいる場合にも適用できる。このとき、前記光ファイバ（Ｅｆ１，Ｅｆ２，…）のそれぞれに複数種類の異なる波長帯域の光、例えば３原色の波長帯域の光、すなわち白色光を導光させる方式や、前記光ファイバ（Ｅｆ１，Ｅｆ２，…）のそれぞれ毎に、導光される波長帯域を異ならせる方式、さらには、それらのハイブリッドの方式の何れでも適用可能である。
【００５３】
また、複数個の前記出射端（Ｅｏ１，Ｅｏ２，…）からの放射光の総合方法としては、前記したように、前記出射端（Ｅｏ１，Ｅｏ２，…）が同一平面上に位置するように揃えて、前記光ファイバ（Ｅｆ１，Ｅｆ２，…）の出射端部を束ねる事により実現することができるが、前記光ファイバ（Ｅｆ１，Ｅｆ２，…）のそれぞれ毎に、導光される波長帯域を異ならせる方式の場合は、ダイクロイックミラーを用いた総合方法を使うことができる。
【００５４】
前記撮像素子（Ｃ）は、カラー映像用として、３原色の映像信号（Ｓｇ）を出力可能なものを使用することが好適である。特に、前記したダイクロイックミラーを用いた総合方法を用いる場合や、前記光ファイバ（Ｅｆ１，Ｅｆ２，…）のそれぞれに複数種類の異なる波長帯域の光を導光させる方式を用い、波長帯域毎の光量安定化フィードバックのための光量測定手段が必要な場合にはカラー映像用撮像素子が必須となる。何故なら、前者の場合は、異なる波長帯域の別々の前記出射端（Ｅｏ１，Ｅｏ２，…）の像が重なって前記撮像素子（Ｃ）の前記撮像面（Ｒｕｖ）に結像されるから、前記光ファイバ（Ｅｆ１，Ｅｆ２，…）のそれぞれを識別して前記光量測定データを取得するために、また、後者の場合は、前記出射端（Ｅｏ１，Ｅｏ２，…）の像のそれぞれが異なる複数の色で構成されているため、何れも色分解された前記映像信号（Ｓｇ）が必要になるからである。
【００５５】
前記撮像素子（Ｃ）としてカラー映像用撮像素子を用いる場合、すなわち前記要素光源（Ｕ１，Ｕ２，…）に属する前記発光素子（Ｙ１ａ，Ｙ１ｂ，…，Ｙ２ａ，Ｙ２ｂ，…）のなかに複数種類の波長帯域のものを含むときは、前記光量測定回路（Ｈ）における前記積分領域（Ａ１，Ａ２，…）は、色毎に設定することが好適である。何故ならば、前記したダイクロイックミラーを用いた総合方法を用いる場合は、異なる波長帯域の別々の前記出射端（Ｅｏ１，Ｅｏ２，…）の像が（普通はズレを伴って）重畳されて前記撮像素子（Ｃ）の前記撮像面（Ｒｕｖ）に結像されるから、また前記光ファイバ（Ｅｆ１，Ｅｆ２，…）のそれぞれに複数種類の異なる波長帯域の光を導光させる方式の場合でも、前記積分領域（Ａ１，Ａ２，…）が色によらず共通にできるためには、前記結像光学系（Ｅａ）は十分な色収差補正がなされた高価なものが必要になるからである。
【００５６】
例えば、１本の光ファイバ（Ｅｆ１）の出射端（Ｅｏ１）の像に対する前記した光量測定データ（Ｓｈ１）は、カラー映像用撮像素子を用いる場合は、波長帯域毎の光量測定データ（Ｓｈ１ｘ，Ｓｈ１ｙ，…）として生成されることになる。前記制御回路（Ｍｃ）は、このようにして生成された前記出射端（Ｅｏ１，Ｅｏ２，…）それぞれの波長帯域毎の光量測定データ（Ｓｈ１ｘ，Ｓｈ１ｙ，…，Ｓｈ２ｘ，Ｓｈ２ｙ，…）を前記光量測定回路（Ｈ）から受信し、前記したものと同様に、本光源装置が正常である時に受信されるべき、前記光量測定データ（Ｓｈ１ｘ，Ｓｈ１ｙ，…，Ｓｈ２ｘ，Ｓｈ２ｙ，…）のそれぞれに対応する、比較対象データ Ｓｃ１ｘ，Ｓｃ１ｙ，…，Ｓｃ２ｘ，Ｓｃ２ｙ，… を保持しており、対応する値どうしを比較し、例えば比較対象データより有意に小さい光量測定データを見出すことにより、異常を検知することができる。
【００５７】
なお、前記撮像素子（Ｃ）１個を設けるだけで、複数の波長帯域に分けて、さらに前記出射端（Ｅｏ１，Ｅｏ２，…）それぞれに分けて、出射端毎の光量測定データを測定できることが、通常の光センサではなく撮像素子を使用する利点であるが、さらに、前記発光素子（Ｙ１ａ，Ｙ１ｂ，…，Ｙ２ａ，Ｙ２ｂ，…）の可干渉性によるスペックルに起因して、前記撮像面（Ｒｕｖ）上の前記出射端（Ｅｏ１，Ｅｏ２，…）の像の光分布（Ｗ１，Ｗ２，…）に現れる明るさの不均一があっても、前記積分領域（Ａ１，Ａ２，…）における明るさの積分、すなわち多くの画素データ Ｖ［ｋｕ，ｋｖ］ の総和計算によって均された値として光量測定データを取得可能なことが、前記撮像素子（Ｃ）を用いることの大きな利点である。
【００５８】
調光が行われた場合の処理については、調光率が１００％のときの基準データ Ｓｎ１，Ｓｎ２，… を波長帯域毎に保持し、前記したものと同様に、前記要素光源（Ｕ１，Ｕ２，…）それぞれについて、それに属する前記駆動回路（Ｐ１ａ，Ｐ１ｂ，…，Ｐ２ａ，Ｐ２ｂ，…）の各々の出力電流の総和の情報 Ｉｎ１，Ｉｎ２，… を保持しておいた上で、調光を行った状態では、前記要素光源（Ｕ１，Ｕ２，…）それぞれについて、同様にそれに属する要素光源の出力電流の総和 Ｉｃ１，Ｉｃ２，… を算出し、これらどうしの比 Ｉｃ１／Ｉｎ１，Ｉｃ２／Ｉｎ２，… によってそれぞれの調光率を算出することを波長帯域毎に行い、さらに、前記基準データ Ｓｎ１，Ｓｎ２，… のそれぞれに対して調光率 Ｉｃ１／Ｉｎ１，Ｉｃ２／Ｉｎ２，… のそれぞれを乗算する演算処理を施したＳｎ１・Ｉｃ１／Ｉｎ１，Ｓｎ２・Ｉｃ２／Ｉｎ２，… によって前記比較対象データ Ｓｃ１，Ｓｃ２，… を生成する処理を波長帯域毎に行うことにより、比較対象データ Ｓｃ１ｘ，Ｓｃ１ｙ，…，Ｓｃ２ｘ，Ｓｃ２ｙ，… を生成することができる。
【００５９】
なお、当然ながら、いま述べた処理において、調光率が１００％の場合、および調光が行われた場合それぞれについて、波長帯域毎に前記駆動回路（Ｐ１ａ，Ｐ１ｂ，…，Ｐ２ａ，Ｐ２ｂ，…）の各々の出力電流の総和を求める際、対象としている波長帯域で発光する前記発光素子が接続されていない前記駆動回路については、その出力電流を０として計算すればよい。さらに、当然ながら、波長帯域毎に前記光量測定回路（Ｈ）や前記制御回路（Ｍｃ）が行う前記した動作において、前記要素光源（Ｕ１，Ｕ２，…）のうち、対象としている波長帯域で発光する前記発光素子を含まない前記要素光源の分については、選択やデータの送受信、比較などの処理を省略できる。
【００６０】
ところで、カラー映像用撮像素子の分光特性が前記発光素子（Ｙ１ａ，Ｙ１ｂ，…，Ｙ２ａ，Ｙ２ｂ，…）の発光波長帯域と完全に一致していない場合、例えば、前記発光素子のうちの一つの波長帯域のもののみを発光させたとき、前記映像信号（Ｓｇ）においては、二つの色のデータが現れるような現象が起き、色データ混合が生じるため、そのままでは色毎の前記光量測定データ（Ｓｈ１ｘ，Ｓｈ１ｙ，…，Ｓｈ２ｘ，Ｓｈ２ｙ，…）を正しく生成することができない問題が生じる。このような場合は、前記光量測定回路（Ｈ）においては、各画素毎に前記した３原色の映像信号（Ｓｇ）それぞれの線形演算によって正しい映像信号に色補正して問題を回避することができる。
【００６１】
具体的には、前記映像信号（Ｓｇ）のＲ・Ｇ・Ｂ各色の信号値を Ｖｒ，Ｖｇ，Ｖｂ とすると、色補正された波長帯域毎の信号値Ｖｘ，Ｖｙ，Ｖｚは、次の線形演算式
Ｖｘ＝Ｋ１１・Ｖｒ＋ Ｋ１２・Ｖｇ＋Ｋ１３・Ｖｂ
Ｖｙ＝Ｋ２１・Ｖｒ＋Ｋ２２・Ｖｇ＋Ｋ２３・Ｖｂ
Ｖｚ＝ Ｋ３１・Ｖｒ＋Ｋ３２・Ｖｇ＋Ｋ３３・Ｖｂ
によって求めればよい。
ここで、Ｋ１１，Ｋ１２，…，Ｋ３２，Ｋ３３は、線形演算のための、画素によらない定数係数であり、前記した色データ混合が補正されるような組み合わせを実験的に求めればよい。因みに前記した色データ混合が生じない場合は、前記した線形演算式において対角成分 Ｋ１１，Ｋ２２，Ｋ３３ 以外を０とすればよい。
【００６２】
なお、線形演算による色補正は、いま述べた各画素毎に行う方法の他に、前記光ファイバ（Ｅｆ１，Ｅｆ２，…）のそれぞれについて前記した３原色の面積分計算を行い、同様の線形演算によって色補正を行う方法を用いてもよい。具体的には、Ｒ・Ｇ・Ｂ各色の面積分計算値を Ｓｈｒ，Ｓｈｇ，Ｓｈｂ とすると、色補正された波長帯域毎の面積分計算値Ｓｈｘ，Ｓｈｙ，Ｓｈｚは、次の線形演算式
Ｓｈｘ＝Ｋ１１・Ｓｈｒ＋Ｋ１２・Ｓｈｇ＋Ｋ１３・Ｓｈｂ
Ｓｈｙ＝Ｋ２１・Ｓｈｒ＋Ｋ２２・Ｓｈｇ＋Ｋ２３・Ｓｈｂ
Ｓｈｚ＝Ｋ３１・Ｓｈｒ＋Ｋ３２・Ｓｈｇ＋Ｋ３３・Ｓｈｂ
によって求めればよい。
【００６３】
前記積分領域（Ａ１，Ａ２，…）は、前記光量測定回路（Ｈ）自身が前記映像信号（Ｓｇ）に対して図形認識技術を援用するなどして決定することができる。しかし、このような図形認識技術を実装するためには高度なプログラムを組み込む必要があるため、前記光量測定回路（Ｈ）には高性能なプロセッサの搭載が必須となり、コスト増となる問題がある。本発明の光源装置においては、前記光量測定回路（Ｈ）と前記制御回路（Ｍｃ）との協調動作により、前記したような高度な図形認識技術を実装することなく前記積分領域（Ａ１，Ａ２，…）を決定することが可能である。
【００６４】
例えば、例えば本光源装置をプロジェクタ用の光源として使用している場合であれば、プロジェクタとしての映像投影稼動中でない、始動時や稼動準備中の期間において、前記制御回路（Ｍｃ）は、先ず前記要素光源（Ｕ１，Ｕ２，…）のなかの１個を選択し、選択された前記要素光源に属する少なくとも１個の前記駆動回路からそれに接続された前記発光素子に所定の電流を流し、かつ前記した選択されたもの以外の全ての前記要素光源に属する前記駆動回路は電流を出力しないよう、前記駆動回路制御信号（Ｊ１ａ，Ｊ１ｂ，…，Ｊ２ａ，Ｊ２ｂ，…）を介して制御する。その状態において、前記制御回路（Ｍｃ）は、前記光量測定回路（Ｈ）に対し、選択された前記要素光源の要素光源識別情報（Ｓｕ）とともに積分領域決定指令信号（Ｓａ）を送信する。
【００６５】
前記積分領域決定指令信号（Ｓａ）を受信した前記光量測定回路（Ｈ）は、そのときに受信している前記映像信号（Ｓｇ）に基づき、選択された前記要素光源の前記光ファイバの前記出射端に対応するもの以外には、前記撮像素子（Ｃ）の前記撮像面（Ｒｕｖ）上には像が存在しないため、この出射端の前記積分領域を決定して、これを前記要素光源識別情報（Ｓｕ）と関連づけて記憶する。
【００６６】
次に前記制御回路（Ｍｃ）は、前記要素光源（Ｕ１，Ｕ２，…）のなかの他の１個を新たに選択して、いま述べた動作を再度実行することにより、前記光量測定回路（Ｈ）は、新たに選択された前記要素光源の前記光ファイバの前記出射端に対応する前記積分領域を決定して、これを前記要素光源識別情報（Ｓｕ）と関連づけて記憶する。そして前記制御回路（Ｍｃ）は、前記要素光源（Ｕ１，Ｕ２，…）の全てに亘って、このような選択と前記積分領域決定指令信号（Ｓａ）の送出の動作を順に実行するシーケンスを実施することにより、前記光量測定回路（Ｈ）は、前記要素光源（Ｕ１，Ｕ２，…）の全てについて、それぞれに対応する前記積分領域（Ａ１，Ａ２，…）を決定することができる。
【００６７】
また、前記したように、前記要素光源（Ｕ１，Ｕ２，…）に属する前記発光素子（Ｙ１ａ，Ｙ１ｂ，…，Ｙ２ａ，Ｙ２ｂ，…）のなかに複数種類の波長帯域のものを含むときは、前記光量測定回路（Ｈ）における前記積分領域（Ａ１，Ａ２，…）は、色毎に設定することが好適であるから、それを実現するために、前記制御回路（Ｍｃ）は、前記と同様に、先ず前記要素光源（Ｕ１，Ｕ２，…）のなかの１個を選択し、選択された前記要素光源に複数種類の発光波長の波長帯域の前記発光素子を含むときは、含まれる波長帯域の１種類毎に選択を行い、その波長帯域に属する発光波長の少なくとも１個の前記発光素子に所定の電流を流し、かつ前記した選択されたもの以外の全ての波長帯域の発光素子には電流を流さないよう、前記駆動回路制御信号（Ｊ１ａ，Ｊ１ｂ，…，Ｊ２ａ，Ｊ２ｂ，…）を介して前記駆動回路（Ｐ１ａ，Ｐ１ｂ，…，Ｐ２ａ，Ｐ２ｂ，…）を制御する。その状態において、前記制御回路（Ｍｃ）は、前記光量測定回路（Ｈ）に対し、選択された前記要素光源（Ｕ１，Ｕ２，…）の要素光源識別情報（Ｓｕ）および選択された波長帯域の波長帯域識別情報（Ｓｒ）とともに積分領域決定指令信号（Ｓａ）を送信する。
【００６８】
前記積分領域決定指令信号（Ｓａ）を受信した前記光量測定回路（Ｈ）は、そのときに受信している前記映像信号（Ｓｇ）に基づき、選択された前記要素光源の前記光ファイバの前記出射端に対応するもの以外には、前記撮像素子（Ｃ）の前記撮像面（Ｒｕｖ）上には像が存在しないため、この出射端の前記積分領域を決定して、これを前記要素光源識別情報（Ｓｕ）および前記波長帯域識別情報（Ｓｒ）と関連づけて記憶する。前記制御回路（Ｍｃ）は、いま述べた波長帯域の選択と前記積分領域決定指令信号（Ｓａ）の送出動作を、その要素光源に属する前記波長帯域の全てに亘って順に選択して実行し、さらに前記制御回路（Ｍｃ）は、前記要素光源（Ｕ１，Ｕ２，…）の全てに亘って、このような選択と前記積分領域決定指令信号（Ｓａ）の送出の動作を順に実行するシーケンスを実施することにより、前記光量測定回路（Ｈ）は、前記要素光源（Ｕ１，Ｕ２，…）の全てについて、それぞれに対応する前記波長帯域毎の前記積分領域（Ａ１，Ａ２，…）を決定することができる。
【００６９】
以上において述べた本発明の光源装置における前記光量測定回路（Ｈ）での前記積分領域（Ａ１，Ａ２，…）の決定方法によれば、選択された前記要素光源の前記光ファイバの前記出射端、すなわち選択された前記出射端に対応するもの以外には、あるいは、選択された前記出射端の選択された前記波長帯域に対応するもの以外には、前記撮像素子（Ｃ）の前記撮像面（Ｒｕｖ）上には像が存在せず、従って図形認識などの高度な技術を使うことなく、適当に定めた閾値以上の信号強度を有する画素の集合を単に拾い上げるだけで、選択された前記要素光源に対応する前記積分領域を決定できたことになる。通常は前記出射端（Ｅｏ１，Ｅｏ２，…）の形状は円形であり、したがって前記積分領域（Ａ１，Ａ２，…）も円形になるべきであるが、前記発光素子（Ｙ１ａ，Ｙ１ｂ，…，Ｙ２ａ，Ｙ２ｂ，…）の可干渉性に起因するスペックルの影響で、周囲境界形状が単純な円形にならず、凹凸が生じたり、領域内部に穴が開いたりする場合は、単純な円形に修正するとよい。
【００７０】
さらに図２に即して言えば、前記映像信号（Ｓｇ）から得られる画素データのうちの、適当に定めた閾値以上の信号強度を有する、前記した画素データＶ［ｋｕ，ｋｖ］が存在する横および縦方向、すなわちｕ方向およびｖ方向に対応する画素番号ｋｕおよびｋｖの範囲、すなわち、ｋｕ１からｋｕ２まで、およびｋｖ１からｋｖ２まで、をそれぞれ特定すれば、長方形（理想的には正方形）の領域を規定したことになるため、前記４個のパラメータｋｕ１，ｋｕ２，ｋｖ１，ｋｖ２さえ記憶しておけば、前記した面積分計算に際しては、計算に必要な画素の集合は、この４個のパラメータのみの数値演算によって算出できる。したがって前記４個のパラメータｋｕ１，ｋｕ２，ｋｖ１，ｋｖ２を得たことにより前記積分領域（Ａ１，Ａ２，…）の決定としてもよい。
【００７１】
この場合、一つの波長帯域の、一つの光ファイバに対し、前記４個のパラメータｋｕ１，ｋｕ２，ｋｖ１，ｋｖ２を記憶するのみで１個の積分領域を特定できるため、記憶すべきデータ量が少なくて済むという利点がある。なお、実際の面積分計算においては、前記積分領域として、前記４個のパラメータｋｕ１，ｋｕ２，ｋｖ１，ｋｖ２が規定する長方形領域を採用してもよく、また、この長方形の各辺に平行な長軸および短軸を有し、この長方形に内接する楕円（理想的には円）を採用してもよい。
【００７２】
ここで、前記した基準データＳｎ１，Ｓｎ２，…や比較対象データＳｃ１，Ｓｃ２，…の取得方法について簡単に説明しておく。例えば本光源装置をプロジェクタ用の光源として使用している場合であれば、プロジェクタとしての映像投影稼動中でない、始動時や稼動準備中の期間において、前記制御回路（Ｍｃ）は、先ず前記駆動回路（Ｐ１ａ，Ｐ１ｂ，…，Ｐ２ａ，Ｐ２ｂ，…）の１個を選択し、選択された前記駆動回路からはそれに接続された前記発光素子に対し、１００％の調光状態に対応する所定の電流を出力して流し、かつ前記した選択された前記駆動回路以外の前記駆動回路からは電流を出力しないよう前記駆動回路制御信号（Ｊ１ａ，Ｊ１ｂ，…，Ｊ２ａ，Ｊ２ｂ，…）を介して制御する。次に前記制御回路（Ｍｃ）は、前記光量測定回路（Ｈ）に対し、光量測定データ生成指令信号（Ｓｓ）を送信し、前記光量測定回路（Ｈ）は、これを受けてそのときに受信した前記映像信号（Ｓｇ）について、明るさを面積分計算した前記光量測定データを生成する。
【００７３】
前記光量測定回路（Ｈ）が前記光量測定データ生成指令信号（Ｓｓ）を送信する際、選択された前記駆動回路に対応する前記要素光源識別情報（Ｓｕ）、さらに前記波長帯域識別情報（Ｓｒ）を付加することにすれば、前記光量測定回路（Ｈ）は、前記した面積分計算の際の前記積分領域を特定できる。ただし、このときの面積分計算を行う状態では前記した選択された前記駆動回路以外の前記駆動回路に接続された前記発光素子は発光していないため、前記積分領域を特定しなくても前記光量測定データを正しく生成することは可能である。
【００７４】
そして前記制御回路（Ｍｃ）は、いま述べた前記光量測定回路（Ｈ）に前記光量測定データを生成させる動作を、前記駆動回路（Ｐ１ａ，Ｐ１ｂ，…，Ｐ２ａ，Ｐ２ｂ，…）の全てに亘って順に選択して実行するシーケンスを実施することにより、前記制御回路（Ｍｃ）は、本光源装置の出力光束の光量に対する前記駆動回路（Ｐ１ａ，Ｐ１ｂ，…，Ｐ２ａ，Ｐ２ｂ，…）のそれぞれの寄与を表すデータである駆動回路別光量測定データ Ｓｐ１ａ，Ｓｐ１ｂ，…，Ｓｐ２ａ，Ｓｐ２ｂ，… を取得することができる。
【００７５】
取得した前記駆動回路別光量測定データ Ｓｐ１ａ，Ｓｐ１ｂ，…，Ｓｐ２ａ，Ｓｐ２ｂ，… を波長帯域に分け、さらに前記要素光源（Ｕ１，Ｕ２，…）それぞれに属する前記駆動回路に関するものの和をとれば、波長帯域毎の前記した基準データ Ｓｎ１，Ｓｎ２，… が得られる。また、前記駆動回路別光量測定データ Ｓｐ１ａ，Ｓｐ１ｂ，…，Ｓｐ２ａ，Ｓｐ２ｂ，… のそれぞれに、対応する前記駆動回路（Ｐ１ａ，Ｐ１ｂ，…，Ｐ２ａ，Ｐ２ｂ，…）毎の前記した調光率を乗じ、同様に前記要素光源（Ｕ１，Ｕ２，…）それぞれに属する前記駆動回路に関するものの和をとれば、波長帯域毎の前記した比較対象データ Ｓｃ１，Ｓｃ２，… が得られる。
【００７６】
前記したように、比較対象データより有意に小さい光量測定データを見出すことにより検出した前記要素光源（Ｕ１，Ｕ２，…）の異常は、安全上の観点からは、前記光ファイバ（Ｅｆ１，Ｅｆ２，…）の異常、すなわち前記光ファイバ（Ｅｆ１，Ｅｆ２，…）の破断として扱っても構わない。何となれば、前記要素光源（Ｕ１，Ｕ２，…）の異常には、例えば、それに属する直流電源のダウンが原因の場合もあり、この異常は、装置の機能不全として問題ではあるも、直流電源自体や前記駆動回路（Ｐ１ａ，Ｐ１ｂ，…，Ｐ２ａ，Ｐ２ｂ，…）の安全対策が完備していれば、安全上の問題を引き起こすことはないが、より危険性の高い前記光ファイバ（Ｅｆ１，Ｅｆ２，…）の破断として警告を発し、それが結果的に誤検知であったとしても、少なくとも危険を見過ごす問題を起こすことはないからである。
【００７７】
なお、複数種類の異なる波長帯域の前記発光素子を含んでいる前記要素光源において、ある波長帯域において異常を検出したが、他の波長帯域においては異常を検出しなかった場合は、その前記要素光源に属する前記光ファイバ（Ｅｆ１，Ｅｆ２，…）の破断の警告を発しないようにしても構わない。また当然ながら、直流電源自体や前記駆動回路（Ｐ１ａ，Ｐ１ｂ，…，Ｐ２ａ，Ｐ２ｂ，…）の異常を検知する仕組みが完備していれば、その異常を検知した場合には、前記要素光源（Ｕ１，Ｕ２，…）の異常を検知しても、前記光ファイバ（Ｅｆ１，Ｅｆ２，…）の破断の警告を発しないようにしても構わない。
【００７８】
例えば本光源装置をプロジェクタ用の光源として使用している場合であれば、プロジェクタとしての映像投影稼動中を含む、通常の点灯中においても、自身の前記出力光束（Ｆｏ）の光量と比例関係にある前記測定用出力光束（Ｆｏ’）の明るさに相関する前記光量測定データ（Ｓｈ１ｘ，Ｓｈ１ｙ，…，Ｓｈ２ｘ，Ｓｈ２ｙ，…）を定期的に生成しているため、前記制御回路（Ｍｃ）は、前記光量測定データ（Ｓｈ１ｘ，Ｓｈ１ｙ，…，Ｓｈ２ｘ，Ｓｈ２ｙ，…）に基づいて、それぞれの前記波長帯域毎の光量の和を算出し、その値がそれぞれの目標値との誤差が小さくなるよう、前記駆動回路制御信号（Ｊ１ａ，Ｊ１ｂ，…，Ｊ２ａ，Ｊ２ｂ，…）を介し、前記要素光源（Ｕ１，Ｕ２，…）のそれぞれの前記波長帯域に対応する前記駆動回路（Ｐ１ａ，Ｐ１ｂ，…，Ｐ２ａ，Ｐ２ｂ，…）に対し、それぞれに接続された前記発光素子（Ｙ１ａ，Ｙ１ｂ，…，Ｙ２ａ，Ｙ２ｂ，…）に流す電流量を設定することにより、本発明の光源装置は、フィードバック制御に基づく光量安定化および色の安定化を行うことができる。
【００７９】
なお、前記した前記波長帯域毎の光量の和が、複数の前記駆動回路（Ｐ１ａ，Ｐ１ｂ，…，Ｐ２ａ，Ｐ２ｂ，…）の寄与の総和による場合、それら駆動回路全部の電流量を同時に増減してフィードバック制御を行うこともできるし、前記駆動回路（Ｐ１ａ，Ｐ１ｂ，…，Ｐ２ａ，Ｐ２ｂ，…）のうちの一部のみの電流量を増減してフィードバック制御を行うこともできる。
【００８０】
次に、本発明の光源装置の実施例の一形態を簡略化して示す図である図３を用いて、本発明を実施するための形態として、本発明の光源装置を利用した、本発明のプロジェクタの、特に光ファイバおよびその出射端以降の、より具体的な構成について述べる。本光源装置は、Ｒ・Ｇ・Ｂ３原色に対応して、各色複数本の光ファイバ、すなわちＲ色光源用光ファイバ（ＥｆＲ１，ＥｆＲ２，…）、Ｇ色光源用光ファイバ（ＥｆＧ１，ＥｆＧ２，…）、Ｂ色光源用光ファイバ（ＥｆＢ１，ＥｆＢ２，…）は、それぞれ出射端を揃えて束ねられた、ファイババンドルとして構成され、これら３本のファイババンドルの出射端を、それぞれコリメータレンズ（ＥｓＲ，ＥｓＧ，ＥｓＢ）で無限遠の像に変換した光束を、ミラー（ＨｕＲ）およびダイクロイックミラー（ＨｕＧ，ＨｕＢ）を用いて色合成して、本光源装置の出力光束（Ｆｏ）を生成するように構成してある。
【００８１】
そして、前記出力光束（Ｆｏ）は集光レンズ（Ｅｕ）に入力され、スペックルを除去するための拡散素子（Ｅｄｍ）を介して、ロッドインテグレータによる光均一化手段（Ｆｍ）の入射端（Ｐｍｉ）に入射される。前記光均一化手段（Ｆｍ）の射出端（Ｐｍｏ）以降の光学系については、先に図４に関して述べたものと同様である。当然ながら、本発明の光源装置は、フライアイインテグレータによる光均一化手段を用いた、先に図５に関して述べたプロジェクタにおいても利用できる。
【００８２】
前記ダイクロイックミラー（ＨｕＢ）は、Ｒ・Ｇ色の光を可能な限り多く透過し、かつＢ色の光を可能な限り多く反射するように作成されているが、Ｒ・Ｇ色の反射光、およびＢ色の透過光が少なからず存在し、普通これらの光は迷光として捨てられるが、図３の本光源装置においては、これを有効利用して測定用出力光束（Ｆｏ’）を得るようにしてある。前記測定用出力光束（Ｆｏ’）はレンズからなる結像光学系（Ｅａ）に入射され、前記ファイババンドルのＲ色出射端（ＥｏＲ１，ＥｏＲ２，…）およびＧ色出射端（ＥｏＧ１，ＥｏＧ２，…）、Ｂ色出射端（ＥｏＢ１，ＥｏＢ２，…）と共役な実像が撮像素子（Ｃ）の撮像面（Ｒｕｖ）上に結像される。前記撮像素子（Ｃ）によって撮影されたこれらの像の映像信号（Ｓｇ）は、前記した光量測定回路に送られる。
【産業上の利用可能性】
【００８３】
本発明は、プロジェクタなどの光学装置において使用可能な、半導体レーザなどの発光素子と光ファイバを用いた光源装置を設計・製造する産業において利用可能である。
【符号の説明】
【００８４】
Ａ１      積分領域
Ａ２      積分領域
Ｃ        撮像素子
ＤｍｊＡ  ２次元光振幅変調素子
ＤｍｊＢ  ２次元光振幅変調素子
Ｅａ      結像光学系
Ｅｃ１    集光光学系
Ｅｃ２    集光光学系
Ｅｄｍ    拡散素子
Ｅｆ１    光ファイバ
Ｅｆ２    光ファイバ
ＥｆＢ１  Ｂ色光源用光ファイバ
ＥｆＢ２  Ｂ色光源用光ファイバ
ＥｆＧ１  Ｇ色光源用光ファイバ
ＥｆＧ２  Ｇ色光源用光ファイバ
ＥｆＲ１  Ｒ色光源用光ファイバ
ＥｆＲ２  Ｒ色光源用光ファイバ
Ｅｉ１    入射端
Ｅｉ２    入射端
Ｅｊ１Ａ  照明レンズ
Ｅｊ１Ｂ  照明レンズ
Ｅｊ２Ａ  投影レンズ
Ｅｊ２Ｂ  フィールドレンズ
Ｅｊ３Ｂ  投影レンズ
Ｅｏ１    出射端
Ｅｏ２    出射端
ＥｏＢ１  Ｂ色出射端
ＥｏＢ２  Ｂ色出射端
ＥｏＧ１  Ｇ色出射端
ＥｏＧ２  Ｇ色出射端
ＥｏＲ１  Ｒ色出射端
ＥｏＲ２  Ｒ色出射端
ＥｓＢ    コリメータレンズ
ＥｓＧ    コリメータレンズ
ＥｓＲ    コリメータレンズ
Ｅｕ      集光レンズ
Ｆ１Ｂ    前段フライアイレンズ
Ｆ２Ｂ    後段フライアイレンズ
Ｆｍ      光均一化手段
ＦｍＡ    光均一化手段
ＦｍＢ    光均一化手段
Ｆｏ      出力光束
Ｆｏ’    測定用出力光束
Ｇｏ      共役像
Ｈ        光量測定回路
ＨｕＢ    ダイクロイックミラー
ＨｕＧ    ダイクロイックミラー
ＨｕＲ    ミラー
Ｊ１ａ    駆動回路制御信号
Ｊ１ｂ    駆動回路制御信号
Ｊ２ａ    駆動回路制御信号
Ｊ２ｂ    駆動回路制御信号
ＬＣＤ    液晶デバイス
Ｍｃ      制御回路
ＭｊＡ    ミラー
ＭｊＢ    偏光ビームスプリッタ
Ｐ１ａ    駆動回路
Ｐ１ｂ    駆動回路
Ｐ２ａ    駆動回路
Ｐ２ｂ    駆動回路
ＰｃＢ    偏光整列機能素子
Ｐｍｉ    入射端
ＰｍｉＡ  入射端
ＰｍｉＢ  入射端
Ｐｍｏ    射出端
ＰｍｏＡ  射出端
ＰｍｏＢ  射出端
Ｒｕｖ    撮像面
Ｓａ      積分領域決定指令信号
Ｓｇ      映像信号
Ｓｈ１    光量測定データ
Ｓｈ１ｘ  光量測定データ
Ｓｈ１ｙ  光量測定データ
Ｓｈ２    光量測定データ
Ｓｈ２ｘ  光量測定データ
Ｓｈ２ｙ  光量測定データ
ＳｊＡ    光源
ＳｊＢ    光源
Ｓｒ      波長帯域識別情報
Ｓｓ      光量測定データ生成指令信号
Ｓｕ      要素光源識別情報
Ｔｊ      スクリーン
ｕ        座標
Ｕ１      要素光源
Ｕ２      要素光源
ｖ        座標
Ｗ１      光分布
Ｗ２      光分布
Ｙ１ａ    発光素子
Ｙ１ｂ    発光素子
Ｙ２ａ    発光素子
Ｙ２ｂ    発光素子
ＺｉＢ    入射光軸
【図１】
2014157184.tif 000003
【図２】
2014157184.tif 000004
【図３】
2014157184.tif 000005
【図４】
2014157184.tif 000006
【図５】
2014157184.tif 000007